(57)【要約】【課題】表示装置においてバックライトから照射した光が漏れるのを防止する。または、表示装置においてバックライトと液晶パネルとを固定する。【解決手段】表示装置１０は、液晶パネル１２０と、バックライト１４０と、接着テープ１５０とを備える。バックライト１４０は、液晶パネル１２０と重ねて設けられる。接着テープ１５０は、遮光性のテープであり、液晶パネル１２０の端面と、バックライト１４０とに接着される。【選択図】図５
2018005074.tif 000002
【特許請求の範囲】
【請求項１】
液晶パネルと、
前記液晶パネルと重ねて設けられるバックライトと、
前記液晶パネルの端面と前記バックライトとに接着される遮光性の接着テープと、
を備える表示装置。
【請求項２】
前記液晶パネルは、
一対の基板と、前記一対の基板を介して前記バックライトに対向する偏光板とを備え、
前記接着テープは、前記一対の基板の端面に対向して接着されると共に、前記一対の基板に沿って前記一対の基板の前記偏光板が設けられた側まで延在し、端面を、前記偏光板の端面と対向させた状態で前記一対の基板の前記偏光板が設けられた側の周縁部に接着されている、
請求項１に記載の表示装置。
【請求項３】
前記バックライトは、導光板と、少なくとも前記導光板の端面と対向するフレームと、前記導光板および前記フレームを介して前記液晶パネルと対向する位置に設けられた反射シートと、を備え、
前記接着テープは、前記液晶パネルの端面に対向して接着されると共に、前記フレームの外周面に対向し、かつ、前記フレームと前記反射シートとの間まで設けられ、前記フレームの外周面で前記フレームに接着され、前記フレームと前記反射シートとの間で前記フレームおよび前記反射シートを接着している、
請求項１に記載の表示装置。
【請求項４】
前記バックライトは、導光板と、少なくとも前記導光板の端面と対向するフレームと、前記導光板および前記フレームを介して前記液晶パネルと対向する位置に設けられた反射シートと、を備え、
前記接着テープは、前記液晶パネルの端面に対向して接着されると共に、前記フレームの外周面に対向し、かつ、前記反射シートの前記フレームが位置する側と反対の側まで設けられ、前記フレームの外周面および前記反射シートに接着されている、
請求項１に記載の表示装置。
【請求項５】
前記バックライトは、導光板と、前記導光板を介して前記液晶パネルと対向する位置に設けられた反射シートと、を備え、
前記接着テープは、前記液晶パネルの端面に対向して接着されると共に、前記導光板の端面に対向し、かつ、前記反射シートの前記導光板が位置する側と反対の側まで設けられ、前記導光板の端面および前記反射シートに接着されている、
請求項１に記載の表示装置。
【請求項６】
前記バックライトは、導光板と、前記導光板を介して前記液晶パネルと対向する位置に設けられた反射シートと、前記導光板と前記反射シートとを収容する収容ケースとを備え、
前記収容ケースは、前記導光板と前記反射シートとが載置された底部と、平面視で前記液晶パネルと重畳する位置にて前記底部の周縁部より立設された側壁部とを備え、
前記接着テープは、前記液晶パネルの端面に対向して接着されると共に、前記液晶パネルと前記側壁部の前記液晶パネルとの対向端面との間を介して前記収容ケース内まで設けられ、前記収容ケース内で前記側壁部の内周面に接着されている、
請求項１に記載の表示装置。
【請求項７】
前記バックライトは、導光板と、少なくとも前記導光板の端面と対向するフレームと、前記導光板および前記フレームの前記液晶パネルが位置する側に設けられた光学シートと、前記導光板と前記フレームと前記光学シートとを収容する収容ケースとを備え、
前記収容ケースは、前記導光板と前記フレームと前記光学シートとが載置された底部と、平面視で前記液晶パネルと重畳する位置にて前記底部の周縁部より立設された側壁部とを備え、
前記接着テープは、前記液晶パネルの端面に対向して接着されると共に、前記液晶パネルと前記側壁部の前記液晶パネルとの対向端面との間を介して前記収容ケース内の前記光学シートと平面視で重畳する位置まで設けられ、前記液晶パネルと、前記側壁部および前記フレームの前記対向端面とを接着し、前記光学シートと隙間を介して対向している、
請求項１に記載の表示装置。
【請求項８】
前記バックライトは、導光板と、前記導光板を介して前記液晶パネルと対向する位置に設けられた反射シートと、前記導光板と前記反射シートとを収容する収容ケースとを備え、
前記収容ケースは、前記導光板と前記反射シートとが載置された底部と、前記底部の周縁部より立設された側壁部とを備え、
前記接着テープは、前記液晶パネルの端面に対向して接着されると共に、前記側壁部の外周面まで設けられ、前記側壁部の外周面に接着されている、
請求項１に記載の表示装置。
【請求項９】
前記接着テープは、前記液晶パネルの端面に接着する接着部分から延出された延出部を有し、前記延出部は、前記液晶パネルのバックライトの位置する側とは反対側の周縁部に接着されている、
請求項１に記載の表示装置。
【発明の詳細な説明】
【技術分野】
【０００１】
本発明は、表示装置に関する。
【背景技術】
【０００２】
近年、スマートフォン、パーソナルアシスタントデバイス（ＰＡＤ：Personal Assistant Device）、タブレットコンピュータ、カーナビゲーションシステムなどで透過型の表示装置が広く用いられている。透過型の表示装置は、液晶パネルと、液晶パネルの裏面側に配置され（設けられ）液晶パネルに光を照射するバックライトとを含んで構成され、バックライトが照射した光を用いて画像を表示する。このような表示装置では、バックライトが照射した光の漏れを防止する技術が提案されている。また、表示装置では、バックライトと液晶パネルとを固定する技術が提案されている。
【先行技術文献】
【特許文献】
【０００３】
【特許文献１】米国特許出願公開第２０１５／０２４１７３１号明細書
【発明の概要】
【発明が解決しようとする課題】
【０００４】
本発明は、光漏れを防止した表示装置を提供する。または、本発明は、バックライトと液晶パネルとを固定可能な表示装置を提供する。
【課題を解決するための手段】
【０００５】
本発明の一態様は、液晶パネルと、前記液晶パネルと重ねて設けられるバックライトと、液晶パネルの端面と前記バックライトとに接着される遮光性の接着テープと、を備える表示装置である。
【図面の簡単な説明】
【０００６】
【図１】第１の実施形態における表示装置の平面図である。
【図２】第１の実施形態における表示装置の分解斜視図である。
【図３】第１の実施形態における液晶パネルの分解斜視図である。
【図４】第１の実施形態におけるバックライトの分解斜視図である。
【図５】第１の実施形態における表示装置の部分断面図である。
【図６】第１の実施形態における表示装置の部分断面図の変形例１である。
【図７】第１の実施形態における表示装置の部分断面図の変形例２である。
【図８】第２の実施形態における表示装置の部分断面図である。
【図９】第３の実施形態における表示装置の部分断面図である。
【図１０】第４の実施形態における表示装置の部分断面図である。
【図１１】第５の実施形態における表示装置の部分断面図である。
【発明を実施するための形態】
【０００７】
以下に、本発明の各実施形態について、図面を参照しつつ説明する。
なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【０００８】
また、本発明と各図において、既出の図に関して前述したものと同様の要素には、同一の符号を付して、詳細な説明を適宜省略することがある。
【０００９】
［第１の実施形態］
まず、第１の実施形態の表示装置について図１，２を併せて用いて説明する。図１は、第１の実施形態における表示装置の平面図であり、表示装置をおもて面（画像を表示する面）側から見た平面図を示している。図２は、第１の実施形態における表示装置の分解斜視図である。なお、以下では、各構成部品に関して表示装置の画像を表示する側（図２の上方）の面をおもて面、おもて面と反対側（図２の下方）の面を裏面（背面）として説明する。
【００１０】
図２に示すように、表示装置１０は、カバーパネル１００と、接着部材１１０と、液晶パネル１２０と、接着テープ１３０と、バックライト１４０と、接着テープ１５０とを備える透過型の表示装置である。
【００１１】
カバーパネル１００は、四隅を丸めた矩形状であり、液晶パネル１２０のおもて面である表示面１２０ａを覆い、表示面１２０ａを保護する。また、カバーパネル１００は、平面視で、カバーパネル１００の周縁（外縁）が、液晶パネル１２０の周縁よりも外側に突出する大きさに形成されている。
【００１２】
カバーパネル１００は、ガラス板又は透明樹脂を用いて形成されており、透過部１０１と、透過部１０１の周囲を囲う枠状の遮光部１０２とを有する。透過部１０１は、液晶パネル１２０の表示領域１２０ｂと対向して光を透過する領域である。遮光部１０２は、ガラス板の裏面側に光を遮る遮光部材を設けて形成した遮光領域である。なお、遮光部１０２は、表示装置１０の額縁領域ともいう。なお、遮光部材は、ガラス板のおもて面側に形成してもよい。
【００１３】
接着部材１１０は、カバーパネル１００を、液晶パネル１２０の表示面１２０ａに接着する。接着部材１１０は、透明度が高く、かつ接着性（粘着性）を有する部材であり、たとえば、紫外線硬化樹脂である。接着部材１１０は、平面視で矩形状に形成されている。
【００１４】
液晶パネル１２０は、画像を表示する平板状の表示装置であり、画像を表示する表示領域１２０ｂと、表示領域１２０ｂの周囲を囲む枠状の額縁領域１２０ｃとを備える。液晶パネル１２０は、バックライト１４０からの光を表示領域１２０ｂに選択的に透過することで表示面１２０ａに画像を表示（形成）する透過表示機能を備えた透過型の液晶パネルである。
【００１５】
ここで、液晶パネル１２０について図３を用いてより具体的に説明する。図３は、第１の実施形態における液晶パネルの分解斜視図である。
液晶パネル１２０は、表示モードとして、主として、基板主面に略平行な横電界を利用する横電界モードに対応した液晶パネルである。なお、液晶パネル１２０は、主として、基板主面に略垂直な縦電界を利用する縦電界モードに対応した構成で構成してもよい。
【００１６】
液晶パネル１２０は、上側基板１２１と、下側基板１２２と、偏光板１２３と、偏光板１２４と、駆動制御ＦＰＣ（Flexible Printed Circuits：フレキシブルプリント基板）１２５とを備える。
【００１７】
上側基板１２１と下側基板１２２とは、液晶を挟持する一対の基板である。上側基板１２１は、矩形状の平板であり、画素に対応して赤色（Ｒ），緑色（Ｇ），青色（Ｂ）のカラーフィルタなどが形成されている。下側基板１２２は、矩形状の平板であり、薄膜トランジスタなどが形成されている。
【００１８】
偏光板１２３は、上側基板１２１のおもて面側に設けられた状態で、上側基板１２１に貼付され、液晶パネル１２０から出射する光を偏光する。偏光板１２４は、下側基板１２２の裏面側に設けられた状態で、下側基板１２２に貼付され、液晶パネル１２０に対して入射する光を偏光する。
【００１９】
駆動制御ＦＰＣ１２５は、ＩＣチップ等の集積回路等が搭載され、液晶パネル１２０を駆動するのに必要な信号を供給する回路基板である。駆動制御ＦＰＣ１２５は、下側基板１２２に貼付けられ、平面視で下側基板１２２の一辺から延出している。このような駆動制御ＦＰＣ１２５から供給される信号によって、液晶パネル１２０は、バックライト１４０からの光を表示領域１２０ｂに選択的に透過して表示面１２０ａに画像を表示する。図１，２に戻って説明を続ける。
【００２０】
接着テープ１３０は、液晶パネル１２０とバックライト１４０との間に設けられ、液晶パネル１２０とバックライト１４０とを接着して、固定する両面テープである。接着テープ１３０は、基材を黒色化する等して遮光性を有しており、表示領域１２０ｂに対応する部分が開放された枠状に形成されている。すなわち、接着テープ１３０は、平面視で額縁領域１２０ｃと重畳する領域で液晶パネル１２０とバックライト１４０とを接着（固定）する。
【００２１】
バックライト１４０は、液晶パネル１２０の裏面側に設けられ、液晶パネル１２０の裏面の表示領域１２０ｂに対応する部分に、光を照射する。
【００２２】
接着テープ１５０は、液晶パネル１２０の端面に接着し、バックライト１４０と液晶パネル１２０とを接着（固定）する遮光性のテープである。
【００２３】
ここで、バックライト１４０と接着テープ１５０とについて図４を用いて具体的に説明する。図４は、第１の実施形態におけるバックライトの分解斜視図である。
【００２４】
図４に示すようにバックライト１４０は、導光板１４１と、光源１４２ａ〜１４２ｈと、光源制御ＦＰＣ１４３と、光学シート１４４〜１４６と、フレーム１４７と、反射シート１４８とを備える。
【００２５】
光源１４２ａ〜１４２ｈは、一列に並んだ状態で光源制御ＦＰＣ１４３上に設けられ、導光板の端面（以下、入射面とする）に向かって光を出射する。光源１４２ａ〜１４２ｈは、発光ダイオード（ＬＥＤ；Light Emitting Diode）である。
【００２６】
光源制御ＦＰＣ１４３は、導光板１４１の入射面のある辺に沿って設けられた光源１４２ａ，１４２ｂ，…，１４２ｈに駆動に必要な信号を供給する回路基板である。光源制御ＦＰＣ１４３は、平面視で、一部が、導光板１４１と離れる方向に向かって延出している。当該延出した部分は、バックライト１４０を組立てた状態でフレーム１４７の外部まで延出される。このような光源制御ＦＰＣ１４３から供給される信号によって、バックライト１４０は、光源１４２ａ，１４２ｂ，…，１４２ｈを制御して導光板１４１に入射する光を調整し、液晶パネル１２０の裏面に、所望の強度の光を照射する。
【００２７】
導光板１４１は、平面視で矩形状であり、導光板の入射面に光源が対向して設けられている。導光板１４１は、入射面から入射する光源からの光を拡散させ、おもて面（以下、出射面とする）から光を出射する。また、この出射面から出射される光は、光学シート１４４〜１４６を介して液晶パネル１２０の裏面から液晶パネル１２０に入射する。なお、入射面は、組立時に液晶パネル１２０の駆動制御ＦＰＣ１２５が設けられる側と対応する側に設けられている。
【００２８】
光学シート１４４〜１４６は、導光板１４１の出射面側に設けられた透過性の光学部材であり、導光板１４１の出射面から出射された光の光学特性を調整する。たとえば、光学シート１４４は、拡散シートであり、光学シート１４５，１４６は、プリズムシートである。
【００２９】
フレーム１４７は、矩形の枠状に形成されており、導光板１４１、光源１４２ａ〜１４２ｈ、光源制御ＦＰＣ１４３及び光学シート１４４〜１４６の周囲を囲うように設けられる。フレーム１４７は、フレーム１４７と反射シート１４８との間に設けられた接着テープ１５０によって反射シート１４８に接着される。
【００３０】
フレーム１４７は、断面視で下方側が上方側よりも内周側に突出した階段状（Ｌ字状ともいう）に形成されている。そして、フレーム１４７は、バックライト１４０を組立てた状態で、下方側を導光板１４１の端面と対向させ、上方側を光学シート１４４〜１４６の端面と対向させるとともに、光学シート１４４〜１４６が下方側と平面視で重畳する位置まで延在するように設けられる。
【００３１】
この接着テープ１５０は、光源制御ＦＰＣ１４３に沿う一辺と当該一辺に平行な一対の短辺部１５２，１５４と、これら一対の短辺部１５２，１５４の端部を連結する一対の長辺部１５１，１５３とを備えて矩形の枠状に形成された両面テープである。また、接着テープ１５０は、一対の長辺部１５１，１５３の幅が一対の短辺部１５２，１５４の幅よりも大きく形成されている。表示装置１０の組立前は、図２に示すように当該一対の長辺部１５１，１５３がバックライト１４０から延出される状態となる。
【００３２】
反射シート１４８は、導光板１４１の裏面側に設けられ、平面視でフレーム１４７および導光板１４１の全面と重畳する。反射シート１４８は、導光板１４１から裏面側に漏れ出てきた光を導光板１４１側に戻すものであり、たとえば、反射、拡散、散乱などの機能を有している。これにより、光源１４２ａ，１４２ｂ，…，１４２ｈから導光板１４１に入射した光を効率的に利用することができ、また、バックライト１４０から出射する光の輝度の向上に寄与する。
【００３３】
反射シート１４８は、たとえば、発泡ＰＥＴ（ポリエチレンテレフタレート）である。なお、反射シート１４８としては、銀蒸着フィルム、多層膜反射フィルム、白色ＰＥＴなどを用いることもできる。
【００３４】
このようにバックライト１４０では、反射シート１４８が接着テープ１５０を介してフレーム１４７に接着されており、これら反射シート１４８とフレーム１４７によって上部開放状のケースが形成されている。そして、バックライト１４０では、反射シート１４８とフレーム１４７からなる上部開放状のケースに導光板１４１、光源１４２ａ〜１４２ｈ、光源制御ＦＰＣ１４３、及び光学シート１４４〜１４６が収容される。
【００３５】
次に表示装置の断面構造について説明する。図５は、第１の実施形態における表示装置の部分断面図であり、図５（ａ）は図１に示した表示装置のＡ−Ａ矢視断面図、図５（ｂ）は図１に示した表示装置のＢ−Ｂ矢視断面図を示している。なお、ここでは図を簡略化するため、カバーパネル１００および接着部材１１０を除いた部分の断面を示している。
【００３６】
なお、表示装置１０の左辺部分（図１参照）の断面についても、Ａ−Ａ部分（図１の右辺部分）の断面における接着構造と同様である。また、表示装置１０の下辺部分（図１参照）の断面についても、Ｂ−Ｂ部分（図１の上辺部分）の断面における接着構造と同様の構成を採用可能である。
【００３７】
図５（ａ），（ｂ）に示すように、表示装置１０では、バックライト１４０の端面が液晶パネル１２０の端面よりも外方に突出しており、これらの間に段差が生じている。
図５（ａ）に示すように、表示装置１０の右辺部分に設けられた接着テープ１５０の長辺部１５１は、第１接着領域１５１ａと、第２接着領域１５１ｂとを有している。なお、接着テープ１５０の長辺部１５１の第１接着領域１５１ａと、第２接着領域１５１ｂとは、一体に形成されている。そして、表示装置１０では、接着テープ１５０の長辺部１５１の両接着領域は、両接着領域の境界部分が折り曲げられることにより、正規の位置に設けられている。以下、両接着領域が設けられる位置について具体的に説明する。
【００３８】
第１接着領域１５１ａは、フレーム１４７と反射シート１４８との間に設けられ、フレーム１４７と反射シート１４８との間で、フレーム１４７と反射シート１４８を接着（固定）する。
【００３９】
第１接着領域１５１ａの第２接着領域１５１ｂと反対側の端部（先端部）は、平面視で、フレーム１４７と重畳する位置に設けられている。そして、第１接着領域１５１ａは、要求される接着強度（固定強度）を満たすた幅で形成されている。
【００４０】
第２接着領域１５１ｂは、液晶パネル１２０の端面に接着されるパネル側接着部１５１ｂ１と、導光板１４１の端面に接着される導光板側接着部１５１ｂ２と、パネル側接着部１５１ｂ１と導光板側接着部１５１ｂ２とを連結する連結部１５１ｂ３とを有している。そして、第２接着領域１５１ｂは、連結部１５１ｂ３をパネル側接着部１５１ｂ１から導光板側接着部１５１ｂ２に向けて下り傾斜状に傾斜して設け、液晶パネル１２０の端面と、バックライト１４０の端面との間に生じる段差を覆っている。また、第２接着領域１５１ｂは、連結部１５１ｂ３を所定の隙間（スペース）を設けてバックライト１４０のフレーム１４７や偏光板１２４に対向させている。かかる点に鑑みると、連結部１５１ｂ３は、フレーム１４７等に対向する内側面の接着力が除去されている構成が好ましい。なお、当該内側面の接着力が除去されていない構成も採用可能である。
【００４１】
また、第２接着領域１５１ｂは、上側基板１２１および下側基板１２２（以下、一対の基板１２１，１２２とする）の端面から延出し、当該延出した部分が一対の基板１２１，１２２に沿って折り曲げられている。そして、第２接着領域１５１ｂは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着している。
【００４２】
なお、第２接着領域１５１ｂの一対の基板１２１，１２２に沿って折り曲げられた部分の厚さは、偏光板１２３の厚さと同じか又は偏光板１２３の厚さよりも小さく形成されている。
【００４３】
一方、図５（ｂ）に示すように、表示装置１０の上辺部分に設けられた接着テープ１５０の短辺部１５２は、第１接着領域１５２ａを有している。
【００４４】
第１接着領域１５２ａは、フレーム１４７と反射シート１４８との間に設けられ、フレーム１４７と反射シート１４８との間で、フレーム１４７と反射シート１４８を接着（固定）する。
【００４５】
第１接着領域１５２ａは、平面視で、全体がフレーム１４７と重畳する位置に設けられている。そして、第１接着領域１５２ａは、要求される接着強度（固定強度）を満たす幅で形成されている。
【００４６】
このように表示装置１０は、液晶パネル１２０の端面を遮光性の接着テープ１５０で接着しているため、液晶パネル１２０の端面からの光漏れを防止できる。
【００４７】
また、表示装置１０は、接着テープ１５０が液晶パネル１２０の端面に加え、液晶パネル１２０を構成する上側基板１２１のおもて面に接着しているため接着面積を大きくできる。また、表示装置１０は、接着テープ１５０を図の上下方向に加え、図の左右方向でも液晶パネル１２０に接着させているため、接着テープ１５０を液晶パネル１２０から剥がれにくくできる。
【００４８】
また、表示装置１０は、接着テープ１３０に加えて、接着テープ１５０でも液晶パネル１２０とバックライト１４０とを接着（固定）しているため、液晶パネル１２０とバックライト１４０とをより強固に接着（固定）できる。これにより、表示装置１０は、液晶パネル１２０とバックライト１４０との位置がずれ、液晶パネル１２０とバックライト１４０とに隙間が生じて光漏れが発生するのを防止できる。
【００４９】
さらに、表示装置１０は、フレーム１４７の外周面および液晶パネル１２０の端面を接着テープ１５０で覆っているため、液晶パネル１２０の端面を保護し、耐衝撃性を向上できる。
【００５０】
さらに、表示装置１０は、フレーム１４７の外周面および液晶パネル１２０の端面を接着テープ１５０で覆っているため、ほこりや水分などの侵入を防止し、信頼性を向上できる。
【００５１】
なお、図５（ａ），（ｂ）に示すように表示装置１０において、光学シート１４４〜１４６が接着テープ１３０と対向しているものの、これらの間には空隙（隙間）があり、接着関係に無い。なお、光学シート１４４〜１４６は、下辺部分（光源側）において液晶パネル１２０や導光板１４１等に接合されており、残りの３辺部分（右辺、左辺、上辺部分）においては、接着されていない。これにより、光学シート１４４〜１４６は、熱膨張・収縮に対応でき、モアレ等の表示劣化現象を抑止できる。また、接着テープ１３０と光学シート１４４〜１４６を対向させているため、光学シート１４４〜１４６の端部の見栄えを良くできる。
【００５２】
なお、光源制御ＦＰＣ１４３が設けられた表示装置１０の図１の下辺部分と隣接する左右辺部分を図５（ａ）の構造にするとして説明したがこれに限らない。表示装置１０は、図１の上辺部分についても、Ａ−Ａ部分の断面と同様の構造にできる。
【００５３】
［変形例１］
次に変形例１について図６を用いて説明する。図６は、第１の実施形態における表示装置の部分断面図の変形例１であり、図５に対応する部分断面を示している。
図６（ａ），（ｂ）に示すように変形例１の表示装置１０ａでは、表示装置１０で用いたた接着テープ１３０が取り除かれている。そして、表示装置１０ａでは、偏光板１２４と、光学シート１４６との間の隙間が無く、光学シート１４６の上に、偏光板１２４が載置された状態で固定されている。
【００５４】
以上が、変形例１である。このように、接着テープ１３０を取り除くことで、表示装置１０ａは、表示装置１０よりも薄型化できる。また、表示装置１０ａは、狭額縁化した表示装置を実現できる。
【００５５】
一般に、図５に示した表示装置１０では、平面視で接着テープ１３０が重畳する領域よりも内側に所定のクリアランスを設けて、表示領域が設定される。一方、図６に示した表示装置１０ａは、接着テープ１３０が取り除かれているため、表示領域を設定する際に、表示装置１０とは異なり接着テープ１３０と重畳する部分よりも内側に設定するという制約を満たす必要がなくなる。
【００５６】
したがって、表示装置１０ａは、液晶パネル１２０の表示面１２０ａの周縁から表示領域１２０ｂまでの距離を表示装置１０よりも短くできるので、狭額縁化した表示装置を実現できる。
【００５７】
なお、表示装置１０ａは、接着テープ１５０によりバックライト１４０と液晶パネル１２０とを接着（固定）しているため、接着テープ１３０が取り除かれても接着強度（固定強度）が確保されている。
【００５８】
なお、本実施形態において述べた態様によりもたらされる他の作用効果について本明細書記載から明らかなもの、または当業者において適宜相当し得るものについては、当然に本発明によりもたらされるものと解される。
【００５９】
［変形例２］
次に変形例２について図７を用いて説明する。図７は、第１の実施形態における表示装置の部分断面図の変形例２であり、図５（ａ）に対応する部分断面を示している。
【００６０】
図７に示すように変形例２の表示装置１０ｂでは、接着テープ１５０の長辺部１５１の第２接着領域１５１ｂは、一対の基板１２１，１２２の端面から延出した部分が一対の基板１２１，１２２に沿って折り曲げられることなく延在している。なお、表示装置１０ｂは、第２接着領域１５１ｂの端部を上側基板１２１の上端面に一致させる構成、または第２接着領域１５１ｂの端面を上側基板１２１の上端面よりも下側基板１２２に近い位置の上側基板１２１の端面で接着させる構成も採用可能である。
【００６１】
以上が、変形例２である。なお、本実施形態において述べた態様によりもたらされる他の作用効果について本明細書記載から明らかなもの、または当業者において適宜相当し得るものについては、当然に本発明によりもたらされるものと解される。
【００６２】
［第２の実施形態］
第２の実施形態は、接着テープの配置（設けられる位置）が第１の実施形態と相違する。以下、特に、第１の実施形態との相違点を中心に説明する。第２の実施形態について図８を用いて具体的に説明する。図８は、第２の実施形態における表示装置の部分断面図であり、第２の実施形態における表示装置の図５（ａ）に対応する部分断面を示している。
【００６３】
なお、ここでは図を簡略化するため、カバーパネル１００および接着部材１１０を除いた部分の断面を示している。なお、第２の実施形態における表示装置の左辺部分の断面についても、右辺部分の断面における接着構造と同様である。
【００６４】
第２の実施形態の表示装置１０ｃでは、第１の実施形態における表示装置１０で用いた複雑な断面形状のフレーム１４７に代えて単純な断面形状（内周が平坦化された形状）のフレーム２４７が用いられている。そして、フレーム２４７は、内周が導光板１４１の端面、及び光学シート１４４〜１４６の端面と対向した状態で設けられている。
【００６５】
また、表示装置１０ｃでは、第１の実施形態における表示装置１０で用いた接着テープ１５０に代えて接着テープ２５０が用いられている。なお、表示装置１０ｃでは、接着に一面のみを用いるため、接着テープ２５０は、片面のみに接着力を有する片面テープである。
【００６６】
図８に示すように、表示装置１０ｃの右辺部分に設けられた接着テープ２５０の長辺部２５１は、第１接着領域２５１ａと、第２接着領域２５１ｂとを有している。なお、接着テープ２５０の長辺部２５１の第１接着領域２５１ａと、第２接着領域２５１ｂとは、一体に形成されている。そして、表示装置１０ｃでは、接着テープ２５０の長辺部２５１の両接着領域は、両接着領域の境界部分が折り曲げられることにより、正規の位置に設けられている。以下、両接着領域が設けられる位置について具体的に説明する。
【００６７】
第１接着領域２５１ａは、反射シート１４８の裏面側に設けられ、反射シート１４８の裏面に接着されている。
【００６８】
第２接着領域２５１ｂは、液晶パネル１２０の端面およびフレーム２４７の外周面と対向する位置に設けられ、液晶パネル１２０の端面およびフレーム２４７の外周面に接着されている。
【００６９】
また、第２接着領域２５１ｂは、一対の基板１２１，１２２の端面から延出し、当該延出した部分が一対の基板１２１，１２２に沿って折り曲げられている。そして、第２接着領域２５１ｂは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着されている。
【００７０】
なお、第２接着領域２５１ｂの一対の基板１２１，１２２に沿って折り曲げられた部分の厚さは、偏光板１２３の厚さと同じか又は偏光板１２３の厚さよりも小さく形成されている。
【００７１】
このように表示装置１０ｃは、反射シート１４８の裏面とフレーム２４７の外周面とに接着テープ２５０を接着しているため、フレーム２４７の形状の制約を少なくできる。一般に、フレームは、所望の接着強度を満たす接着面積を確保できる幅で形成されている。たとえば、第１の実施形態では、フレーム１４７は、上端側では液晶パネル１２０と接着しており、下端側では反射シート１４８と接着している。そのため、フレーム１４７は、上端面を液晶パネル１２０との接着強度を満たす面積、下端面を反射シート１４８との接着強度を満たす面積以上の面積に形成することが要求される。
【００７２】
また一般に、表示装置では、平面視でフレームと重畳する領域よりも内側に所定のクリアランスを設けて、表示領域が設定される。そのため、フレーム１４７は、上端面および下端面において接着面積を確保しつつ、狭い幅に（狭額縁化）するために、たとえば図５に示すように下方側が上方側よりも内周側に突出した階段形状に形成されている。
【００７３】
一方、表示装置１０ｃでは、反射シート１４８の裏面とフレーム２４７の外周面とに接着テープ２５０を接着するため、フレーム２４７は、上端面を液晶パネル１２０との接着強度を満たす面積に形成すればよい。そのため、表示装置１０ｃは、フレーム２４７を、たとえば、図８に示すように断面視で矩形状（内周を平坦化した形状）に形成することができる。
【００７４】
このように、下端面の面積に制約がないため、表示装置１０ｃは、フレーム２４７の幅をフレーム１４７よりも狭くできるので、狭額縁化した表示装置を実現できる。
【００７５】
また、接着テープ２５０の長辺部２５１の第１接着領域２５１ａは、反射シート１４８の裏面と接着するため、平面視でフレーム２４７よりも内周側（たとえば、表示領域と重畳する領域）に位置している場合であっても表示に影響をおよぼすことがない。そのため、表示装置１０ｃは、接着テープ２５０の長辺部２５１の第１接着領域２５１ａと反射シート１４８との接着面積を大きくして、接着テープ２５０を反射シート１４８から剥がれにくくすることもできる。
【００７６】
なお、表示装置１０ｃは、接着テープ２５０によりバックライト１４０ａと液晶パネル１２０とを接着（固定）しているため、第１の実施形態における変形例１と同様に接着テープ１３０を取り除いて、表示装置１０ｃを狭額縁化することもできる。なお、第２の実施形態における表示装置の上辺部分についても、図８に示した右辺部分と同様の構造にできる。
【００７７】
以上が第２の実施形態である。なお、第２の実施形態においても、前述した第１の実施形態と同様の点については同様の作用効果を得ることができる。
また、本実施形態において述べた態様によりもたらされる他の作用効果について本明細書記載から明らかなもの、または当業者において適宜相当し得るものについては、当然に本発明によりもたらされるものと解される。
【００７８】
［第３の実施形態］
第３の実施形態は、接着テープの配置（設けられる位置）およびフレームの有無が第１の実施形態と相違する。以下、特に、第１の実施形態との相違点を中心に説明する。第３の実施形態について図９を用いて具体的に説明する。図９は、第３の実施形態における表示装置の部分断面図であり、第３の実施形態における表示装置の図５（ａ）に対応する部分断面を示している。
【００７９】
なお、ここでは図を簡略化するため、カバーパネル１００および接着部材１１０を除いた部分の断面を示している。なお、第３の実施形態における表示装置の左辺部分の断面についても、右辺部分の断面における接着構造と同様である。
【００８０】
第３の実施形態の表示装置１０ｄのバックライト１４０ｂでは、第１の実施形態における表示装置１０で用いたフレーム１４７が取り除かれている。また、表示装置１０ｄでは、第１の実施形態における表示装置１０で用いた接着テープ１３０が取り除かれている。また、表示装置１０ｄでは、第１の実施形態における表示装置１０で用いた接着テープ１５０に代えて接着テープ３５０が用いられている。なお、表示装置１０ｄでは、接着に一面のみを用いるため、接着テープ３５０は、片面のみに接着力を有する片面テープである。また、表示装置１０ｄでは、液晶パネル１２０の端面がバックライト１４０ｂの端面よりも外方に突出しており、これらの間に段差が生じている。
【００８１】
図９に示すように、表示装置１０ｄの右辺部分に設けられた接着テープ３５０の長辺部３５１は、第１接着領域３５１ａと、第２接着領域３５１ｂとを有している。なお、接着テープ３５０の長辺部３５１の第１接着領域３５１ａと、第２接着領域３５１ｂとは、一体に形成されている。そして、表示装置１０ｄでは、接着テープ３５０の長辺部３５１の両接着領域は、両接着領域の境界部分が折り曲げられることにより、正規の位置に設けられている。以下、両接着領域が設けられる位置について具体的に説明する。
【００８２】
第１接着領域３５１ａは、反射シート１４８の裏面側に設けられ、反射シート１４８の裏面に接着されている。
【００８３】
第２接着領域３５１ｂは、液晶パネル１２０の端面に接着されるパネル側接着部３５１ｂ１と、導光板１４１の端面に接着される導光板側接着部３５１ｂ２と、パネル側接着部３５１ｂ１と導光板側接着部３５１ｂ２とを連結する連結部３５１ｂ３とを有している。そして、第２接着領域３５１ｂは、連結部３５１ｂ３をパネル側接着部３５１ｂ１から導光板側接着部３５１ｂ２に向けて下り傾斜状に傾斜して設け、液晶パネル１２０の端面と、バックライト１４０ｂの端面との間に生じる段差を覆っている。また、第２接着領域３５１ｂは、連結部３５１ｂ３を所定の隙間（スペース）を設けてバックライト１４０の光学シート１４４〜１４６や偏光板１２４に対向させている。かかる点に鑑みると、連結部３５１ｂ３は、光学シート１４４〜１４６等に対向する内側面の接着力が除去されている構成が好ましい。なお、当該内側面の接着力が除去されていない構成も採用可能である。
【００８４】
また、第２接着領域３５１ｂは、一対の基板１２１，１２２の端面から延出し、当該延出した部分が一対の基板１２１，１２２に沿って折り曲げられている。そして、第２接着領域３５１ｂは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着されている。
【００８５】
なお、第２接着領域３５１ｂの一対の基板１２１，１２２に沿って折り曲げられた部分の厚さは、偏光板１２３の厚さと同じか又は偏光板１２３の厚さよりも小さく形成されている。
【００８６】
このように表示装置１０ｄは、第１の実施形態で用いた接着テープ１３０とフレーム１４７を取り除いているため、表示領域を設定する際に、平面視でフレーム１４７や接着テープ１３０と重畳する部分よりも内側に設定するという制約を満たす必要がなくなる。これにより表示装置１０ｄは、液晶パネル１２０の表示面１２０ａの周縁から表示領域１２０ｂまでの距離を短くできるので、狭額縁化した表示装置を実現できる。
【００８７】
なお、第３の実施形態における表示装置の上辺部分についても、図９に示した右辺部分と同様の構造にできる。
【００８８】
以上が第３の実施形態である。なお、第３の実施形態においても、前述した各実施形態と同様の点については同様の作用効果を得ることができる。
また、本実施形態において述べた態様によりもたらされる他の作用効果について本明細書記載から明らかなもの、または当業者において適宜相当し得るものについては、当然に本発明によりもたらされるものと解される。
【００８９】
［第４の実施形態］
第４の実施形態は、接着テープの配置（設けられる位置）およびバックライトの収容ケースの有無が第１の実施形態と相違する。以下、特に、第１の実施形態との相違点を中心に説明する。第４の実施形態について図１０を用いて具体的に説明する。
【００９０】
図１０は、第４の実施形態における表示装置の部分断面図であり、図１０（ａ）は、第４の実施形態における表示装置の図５（ａ）に対応する部分断面、図１０（ｂ）は、第４の実施形態における表示装置の図５（ｂ）に対応する部分断面を示している。なお、ここでは図を簡略化するため、カバーパネル１００および接着部材１１０を除いた部分の断面を示している。
【００９１】
なお、第４の実施形態における表示装置の左辺部分の断面についても、右辺部分の断面における接着構造と同様である。
【００９２】
第４の実施形態の表示装置１０ｅでは、バックライト１４０ｃは、収容ケース１４９を備える。収容ケース１４９は、各種光学部材が載置される底部１４９ｂと、平面視で液晶パネル１２０と重畳する位置にて底部１４９ｂの周縁部から立設された側壁部１４９ａとを備える。また、表示装置１０ｅでは、第１の実施形態における表示装置１０で用いた接着テープ１３０が取り除かれている。また、表示装置１０ｅでは、表示装置１０で用いたフレーム１４７が取り除かれているとともに、上辺部分においては、導光板１４１の端面及び光学シート１４４〜１４６の端面と対向して設けられたフレーム３４７が新たに設けられている。
【００９３】
表示装置１０ｅでは、フレーム３４７は、フレーム３４７と反射シート１４８との間に設けられた接着テープ１６０によって反射シート１４８に接着されている。また、フレーム３４７は、断面視で下方側が上方側よりも内周側に突出した階段状（Ｌ字状ともいう）に形成されている。そして、フレーム３４７は、下方側を導光板１４１の端面と対向させ、上方側を光学シート１４４〜１４６の端面と対向させるとともに、光学シート１４４〜１４６が下方側の上部まで延在するように設けられている。
【００９４】
また、表示装置１０ｅでは、第１の実施形態における表示装置１０で用いた接着テープ１５０に代えて接着テープ４５０が用いられている。なお、表示装置１０ｅでは、接着に両面を用いるため、接着テープ４５０は、両面に接着力を有する両面テープである。
【００９５】
図１０（ａ）に示すように、表示装置１０ｅの右辺部分に設けられた接着テープ４５０の長辺部４５１は、液晶パネル１２０と側壁部１４９ａの液晶パネル１２０との対向端面（先端面）との間を介して収容ケース１４９内まで設けられている。接着テープ４５０の長辺部４５１は、第１接着領域４５１ａと、第２接着領域４５１ｂと、第３接着領域４５１ｃとを有している。なお、接着テープ４５０の長辺部４５１の第１接着領域４５１ａと、第２接着領域４５１ｂと、第３接着領域４５１ｃは、一体に形成されている。そして、表示装置１０ｅでは、接着テープ４５０の長辺部４５１の各接着領域は、各接着領域の境界部分が折り曲げられることにより、正規の位置に設けられている。以下、各接着領域が設けられる位置について具体的に説明する。
【００９６】
第１接着領域４５１ａは、収容ケース１４９の側壁部１４９ａの内周面（内壁面）と対向する位置に設けられ、側壁部１４９ａの内周面に接着されている。
また、第１接着領域４５１ａは、所定の隙間（スペース）を介してバックライト１４０ｃの導光板１４１や光学シート１４４〜１４６の端面と対向している。かかる点に鑑みると、第１接着領域４５１ａは、バックライト１４０ｃの各構成と対向する面の接着力が除去されている構成が好ましい。なお、当該対向面の接着力が除去されていない構成も採用可能である。
【００９７】
第２接着領域４５１ｂは、偏光板１２４（液晶パネル１２０）と側壁部１４９ａの偏光板１２４との対向端面（先端面）との間に設けられ、偏光板１２４と側壁部１４９ａの先端面との間で、液晶パネル１２０と収容ケース１４９を接着する。そのため、表示装置１０ｅの右辺部分では、偏光板１２４は、接着面積（接着強度）を確保するために、偏光板１２３よりも外周側に突出して設けられている。
【００９８】
第３接着領域４５１ｃは、液晶パネル１２０の端面と対向する位置に設けられ、両面テープのうちの一方の面では液晶パネル１２０の端面に接着されている。また、第３接着領域４５１ｃは、他方の面のうち、液晶パネル１２０の端面と対応する位置には基材１５５が接着されている。
【００９９】
また、第３接着領域４５１ｃは、一対の基板１２１，１２２の端面から延出し、当該延出した部分が一対の基板１２１，１２２に沿って折り曲げられている。そして、第３接着領域４５１ｃは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着されている。
【０１００】
なお、第３接着領域４５１ｃの一対の基板１２１，１２２に沿って折り曲げられた部分の厚さは、偏光板１２３の厚さと同じか又は偏光板１２３の厚さよりも小さく形成されている。
【０１０１】
一方、図１０（ｂ）に示すように、表示装置１０ｅの上辺部分に設けられた接着テープ４５０の短辺部４５２は、液晶パネル１２０と側壁部１４９ａの液晶パネル１２０との対向端面（先端面）との間を介して収容ケース１４９内まで設けられている。接着テープ４５０の短辺部４５２は、第１接着領域４５２ａと、第２接着領域４５２ｂとを有している。なお、接着テープ４５０の短辺部４５２の第１接着領域４５２ａと、第２接着領域４５２ｂとは、一体に形成されている。そして、表示装置１０ｅでは、接着テープ４５０の短辺部４５２の両接着領域は、両接着領域の境界部分が折り曲げられることにより、正規の位置に設けられている。以下、両接着領域が設けられる位置について具体的に説明する。
【０１０２】
第１接着領域４５２ａは、偏光板１２４（液晶パネル１２０）と側壁部１４９ａの偏光板１２４との対向端面（先端面）との間、偏光板１２４とフレーム３４７の偏光板１２４との対向端面（先端面）との間、および偏光板１２４と光学シート１４４〜１４６との間に設けられている。そして、第１接着領域４５２ａは、偏光板１２４と、側壁部１４９ａおよびフレーム３４７の対向端面と、を接着する。そのため、表示装置１０ｅの上辺部分では、偏光板１２４は、接着面積（接着強度）を確保するために、偏光板１２３よりも外周側に突出して設けられている。
【０１０３】
なお、光学シート１４４〜１４６は、第１接着領域４５２ａと対向しているものの、これらの間には空隙（隙間）があり、接着関係に無い。なお、光学シート１４４〜１４６は、下辺部分（光源側）において液晶パネル１２０や導光板１４１等に接合されており、残りの３辺部分（右辺、左辺、上辺部分）においては、接着されていない。これにより、光学シート１４４〜１４６は、熱膨張・収縮に対応でき、モアレ等の表示劣化現象を抑止できる。
【０１０４】
第２接着領域４５２ｂは、液晶パネル１２０の端面と対向する位置に設けられ、両面テープのうちの一方の面では液晶パネル１２０の端面に接着されている。また、第２接着領域４５２ｂは、他方の面のうち、液晶パネル１２０の端面と対応する位置には基材１５５が接着されている。
【０１０５】
また、第２接着領域４５２ｂは、一対の基板１２１，１２２の端面から延出し、当該延出した部分が一対の基板１２１，１２２に沿って折り曲げられている。そして、第２接着領域４５２ｂは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着されている。
【０１０６】
なお、第２接着領域４５２ｂの一対の基板１２１，１２２に沿って折り曲げられた部分の厚さは、偏光板１２３の厚さと同じか又は偏光板１２３の厚さよりも小さく形成されている。
【０１０７】
このように表示装置１０ｅは、第１の実施形態における表示装置１０で用いたフレーム１４７および接着テープ１３０を取り除いて、接着テープ４５０のみを用いて、液晶パネル１２０とバックライト１４０ｃとを接着（固定）している。
【０１０８】
これによれば、表示装置１０ｅは、表示領域１２０ｂを設定する際に、平面視でフレーム１４７や接着テープ１３０と重畳する部分よりも内側に設定するという制約を満たす必要がなくなる。これにより表示装置１０ｅは、液晶パネル１２０の表示面１２０ａの周縁から表示領域１２０ｂまでの距離を短くできるので、狭額縁化した表示装置を実現できる。
【０１０９】
また、図５に示すように第１の実施形態における表示装置１０は、液晶パネル１２０とバックライト１４０とを所定の接着強度で接着（固定）するために、表示装置１０の幅（図の左右）方向で接着テープ１３０の接着面積を確保していた。これに対して、表示装置１０ｅの左右辺部分では、接着テープ４５０は、液晶パネル１２０とバックライト１４０ｃとの接着面積を、表示装置１０ｅの厚さ（図の上下）方向で確保できる。
【０１１０】
このように厚さ方向で接着面積を確保できるため、表示装置１０ｅは、左右辺部分において平面視で接着テープ４５０が延在する幅をせまくできるので、額縁領域を狭くして、狭額縁化した表示装置を実現できる。
【０１１１】
また、表示装置１０ｅは、収容ケース１４９に収容しているため、バックライト１４０ｃの耐衝撃性を向上できる。
【０１１２】
なお、第４の実施形態における表示装置の上辺部分を図１０（ｂ）の構造にするとして説明したがこれに限らない。第４の実施形態における表示装置の上辺部分についても、図１０（ａ）に示した構造と同様の構造にできる。また、第４の実施形態における表示装置の左右辺部分を、図１０（ｂ）に示した構造と同様の構造にすることもできる。
【０１１３】
以上が第４の実施形態である。なお、第４の実施形態においても、前述した各実施形態と同様の点については同様の作用効果を得ることができる。
また、本実施形態において述べた態様によりもたらされる他の作用効果について本明細書記載から明らかなもの、または当業者において適宜相当し得るものについては、当然に本発明によりもたらされるものと解される。
【０１１４】
［第５の実施形態］
第５の実施形態では、接着テープを収容ケースの外周面（外壁面）に接着する点が第４の実施形態と相違する。以下、特に、第４の実施形態との相違点を中心に説明する。第５の実施形態について図１１を用いて具体的に説明する。
【０１１５】
図１１は、第５の実施形態における表示装置の部分断面図であり、第５の実施形態における表示装置の図１０（ａ）に対応する部分断面を示している。なお、ここでは図を簡略化するため、カバーパネル１００および接着部材１１０を除いた部分の断面を示している。
なお、第５の実施形態における表示装置の左辺部分の断面についても、右辺部分の断面における接着構造と同様である。
【０１１６】
第５の実施形態の表示装置１０ｆでは、第４の実施形態における表示装置１０ｅで用いた接着テープ４５０に代えて接着テープ５５０が用いられている。なお、表示装置１０ｆでは、接着に一面のみを用いるため、接着テープ５５０は、片面のみに接着力を有する片面テープである。
【０１１７】
図１１に示すように、表示装置１０ｆの右辺部分に設けられた接着テープ５５０の長辺部５５１は、第１接着領域５５１ａを有している。
【０１１８】
第１接着領域５５１ａは、液晶パネル１２０の端面および収容ケース１４９の側壁部１４９ａの外周面と対向する位置に設けられ、液晶パネル１２０の端面および収容ケース１４９の側壁部１４９ａの外周面に接着されている。
【０１１９】
また、第１接着領域５５１ａは、一対の基板１２１，１２２の端面から延出し、当該延出した部分が一対の基板１２１，１２２に沿って折り曲げられている。そして、第１接着領域５５１ａは、一対の基板１２１，１２２に沿って折り曲げられた部分の端面（先端面）を、偏光板１２３の端面と対向させた状態で上側基板１２１のおもて面の周縁部（偏光板１２３に覆われていない部分）に接着されている。
【０１２０】
なお、第１接着領域５５１ａの一対の基板１２１，１２２に沿って折り曲げられた部分の厚さは、偏光板１２３の厚さと同じか又は偏光板１２３の厚さよりも小さく形成されている。
【０１２１】
なお、第１接着領域５５１ａは、側壁部１４９ａの外周面より下方に延出させて、当該延出させた部分を収容ケース１４９に沿って折り曲げ、収容ケース１４９の底部１４９ｂのバックライト１４０ｃが載置された側と反対の側の面に設けてもよい。表示装置１０ｆは、第１接着領域５５１ａを底部１４９ｂのバックライト１４０ｃが載置された側と反対の側の面に設けることで、接着テープ５５０と収容ケース１４９との接着面積を大きくして、接着テープ５５０が収容ケース１４９から剥がれにくくできる。なお、この場合でも、接着テープ５５０は、底部１４９ｂのバックライト１４０ｃが載置された側と反対の側の面に設けられるため、表示に影響をおよぼすことがない。
【０１２２】
なお、第５の実施形態における表示装置の上辺部分についても、図１１に示した構造と同様の構造にできる。
【０１２３】
以上が第５の実施形態である。なお、第５の実施形態においても、前述した各実施形態と同様の点については同様の作用効果を得ることができる。
また、本実施形態において述べた態様によりもたらされる他の作用効果について本明細書記載から明らかなもの、または当業者において適宜相当し得るものについては、当然に本発明によりもたらされるものと解される。
【０１２４】
また、本実施形態において述べた態様によりもたらされる他の作用効果について本明細書記載から明らかなもの、または当業者において適宜相当し得るものについては、当然に本発明によりもたらされるものと解される。
なお、各実施形態において説明した表示装置は、たとえば、スマートフォン、タブレット端末、携帯電話機、ノートブックタイプＰＣ、携帯型ゲーム機、電子辞書、テレビ装置、カーナビゲーションシステムなどの各種電子機器に組み込んで使用することができる。
【０１２５】
また、本発明の思想の範疇において、当業者であれば、各種の変更例及び修正例に想到し得るものであり、それら変更例及び修正例についても本発明の範囲に属するものと了解される。たとえば、前述の各実施形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【符号の説明】
【０１２６】
１０，１０ａ〜１０ｆ・・・表示装置、１００・・・カバーパネル、１０１・・・透過部、１０２・・・遮光部、１１０・・・接着部材、１２０・・・液晶パネル、１２０ａ・・・表示面、１２０ｂ・・・表示領域、１２０ｃ・・・額縁領域、１２１・・・上側基板、１２２・・・下側基板、１２３，１２４・・・偏光板、１２５・・・駆動制御ＦＰＣ、１３０，１５０，１６０，２５０，３５０，４５０，５５０・・・接着テープ、１４０，１４０ａ〜１４０ｃ・・・バックライト、１４１・・・導光板、１４２ａ〜１４２ｈ・・・光源、１４３・・・光源制御ＦＰＣ、１４４〜１４６・・・光学シート、１４７，２４７，３４７・・・フレーム、１４８・・・反射シート、１４９・・・収容ケース、１４９ａ・・・側壁部、１４９ｂ・・・底部、１５１，１５３，２５１，３５１，４５１，５５１・・・長辺部、１５１ｂ１，３５１ｂ１・・・パネル側接着部、１５１ｂ２，３５１ｂ２・・・導光板側接着部、１５１ｂ３，３５１ｂ３・・・連結部、１５１ａ，１５２ａ，２５１ａ，３５１ａ，４５１ａ，４５２ａ，５５１ａ・・・第１接着領域、１５１ｂ，２５１ｂ，３５１ｂ，４５１ｂ，４５２ｂ・・・第２接着領域、１５２，１５４，４５２・・・短辺部、４５１ｃ・・・第３接着領域、１５５・・・基材
【図１】
2018005074.tif 000003
【図２】
2018005074.tif 000004
【図３】
2018005074.tif 000005
【図４】
2018005074.tif 000006
【図５】
2018005074.tif 000007
【図６】
2018005074.tif 000008
【図７】
2018005074.tif 000009
【図８】
2018005074.tif 000010
【図９】
2018005074.tif 000011
【図１０】
2018005074.tif 000012
【図１１】
2018005074.tif 000013